(57)【特許請求の範囲】
【請求項１】
建物躯体に取付けた縦部材の室内側に補強用縦部材を位置させ、縦部材と補強用縦部材とに夫々中空溝を設け、中空溝内に必要数の取付片を挿入固定し、両側の取付片に夫々連結棒を固定し、両側の取付片に取付けた連結棒に補強部材を取付けたことを特徴とするガラス板等の外装体の取付構造。
【請求項２】
取付片に連結棒に設けた雄螺子部を螺合し、連結棒の反対側に突設した両側の連結用螺子部に補強部材の両端を螺合したことを特徴とする請求項１記載のガラス板等の外装体の取付構造。
【発明の詳細な説明】
【０００１】
【発明の属する技術分野】
本発明はガラス板等の外装体の取付構造に関するものである。
【０００２】
【従来の技術】
従来の取付構造は実開平４−１３７１１５号公報に開示されている。即ち図１２に示すように建物躯体に上下を取付けた室外側縦材Ａの室内側に取付片Ｂを突出させ、一方室内側縦材Ｃの室外側にも取付片Ｄを突出させ、両取付片Ｂ，Ｄをラチス材Ｅ，Ｅを連結して室外縦材Ａの室外側に取付ける外装パネル体（図示省略）の取付強度を強くするようにしている。
【０００３】
【発明が解決しようとする課題】
前記従来のものは縦材の外部に取付片が露出しているために、室内側からの見栄えがよくないという大きな問題がある。
そこで、本発明においては、取付片を露出させないで、十分な強度を与えることができるトラス部材を取付けようとするものである。
【０００４】
【課題を解決するための手段】
本発明は前記課題を解決するために、建物躯体に取付けた縦部材の室内側に補強用縦部材を位置させ、縦部材と補強用縦部材とに夫々中空溝を設け、中空溝内に必要数の取付片を挿入固定し、両側の取付片に夫々連結棒を固定し、両側の取付片に取付けた連結棒に補強部材を取付けたガラス板等の外装体の取付構造を構成する。
【０００５】
取付片に連結棒に設けた雄螺子部を螺合し、連結棒の反対側に突設した両側の連結用螺子部に補強部材の両端を螺合した請求項１記載のガラス板等の外装体の取付構造を構成する。
【０００６】
【発明の実施の形態】
本発明の実施の形態は図１に示すように建物躯体の床材１と天井材２とに中空の縦部材３を固定する。そして、縦部材３の室内側に補強用縦部材４を位置させ、縦部材３と補強用縦部材４とを多数の補強部材５，５…で連結することにより縦部材３を補強し、縦部材３の室外側に外装体であるガラス板６（図３参照）を取付ける型材７，７…を取付けるようになっている。
【０００７】
縦部材３と補強用縦部材４は共に図４に示すように外形が円形で鼓状をした中空溝８を設けている。両縦部材３，４の中空溝８，８には夫々長方形の両角部を切断した切断面９，９を有する駒形をした取付片１０，１０を必要数だけ挿入する。
【０００８】
縦部材３に挿入した各取付片１０，１０，…は両切断面９，９側を室内側に位置させ、縦部材３の室外側に係合する固定片１１を固定した固定棒１２を縦部材３の室外側から取付片１０の中央を通して室内側に貫通させ、固定棒１２の室内側先端に刻設した螺子部１３に固定ナット１４を螺合して強く締付け、各取付片１０，１０，…を中空溝８内で固定するようになっている。
【０００９】
尚、各固定棒１２の室外側の先端には型枠固定片１５を固定し、この型枠固定片１５の両側にガラス板６を取付けた型枠７，７，…を固定している。
【００１０】
一方、補強用縦部材４に挿入した各取付片１０，１０，…は両切断面９，９を縦部材３に挿入した取付片１０，１０，…の切断面９，９と対向するように位置させ、各取付片１０，１０，…の中央に設けたボトル孔１６に夫々ボルト１７を螺合して締付け、各取付片１０，１０，…を固定している。
【００１１】
前記各取付片１０，１０，…には両切断面９，９と直角をなす方向に雌螺子孔１８，１８を設け、縦部材３  ３と補強用縦部材４には夫々雌螺子孔１８，１８が位置した個所に貫通孔１９，１９を設け、この貫通孔１９，１９を通して雌螺子孔１８，１８に夫々、連結棒２０，２０の先端に設けた雄螺子部２１，２１を螺合して連結棒２０，２０を各取付片１０，１０，…に取り付ける。
【００１２】
そして、各連結棒２０，２０の反対側には連結用螺子部２２を突設させ、縦部材３に取付けた連結棒２０と、図 1，２に示すように斜めに位置した補強用縦部材４の連結棒２０とに中空状の補強部材５の雌螺子孔２３を螺合することにより縦部材３と補強用縦部材４とを結合してて補強を行うようになっている。
【００１３】
尚、補強部材５は図面では省略したが、アルミニウムで構成している場合には雌螺子部材を嵌合固定して連結棒２０の連結用螺子部２２と螺合させるようにしてもよいものである。
【００１４】
尚、上下端の取付片１０には夫々連結棒２０は１個のみが取付けられている。
【００１５】
本発明は前記のように構成したもので、あらかじめ、各取付片１０，１０，…に夫々連結棒２０，２０，…を取付けておいて、縦部材３と補強用縦部材４とを平行に位置させ、各補強部材５，５，…を夫々斜めに位置させ、両側の連結棒２０，２０，…を回転させながら、両連結棒２０の連結用螺子部２２を夫々補強部材５の両端に螺合させることにより両側の連結棒２０，２０と補強部材５とを連結する。
【００１６】
又は、各取付片１０，１０，…に夫々連結棒２０，２０，…を取付けた縦部材３に対し、各取付片１０，１０，…に夫々連結棒２０，２０，…と補強部材５，５，…を取付けた補強用縦部材４を近づけ、その後、縦部材３又は補強用縦部材４の各連結棒２０，２０…を回転させながら、補強部材５，５，…に他方の連結棒２０，２０，…を螺合させる。
又は、縦部材３側に補強部材５，５，…を取付け、補強部材４を近づけてもよいものである。
【００１７】
他の実施形態を図５に基いて説明すると、縦補強部材４は本数が限定されるものではないもで、破線で示すように複数本の縦補強部材４，４，…を放射状に配置し、各縦補強部材４，４，…を補強部材５，５，…で縦部材３と連結してもよい。
又、縦補強部材４，４，同志を補強部材５で連結して三角形状にしてもよいものである。
【００１８】
次に、図６に示す実施の形態は、縦補強部材４を床材１と天井材２とに当接するか、更に一方を固定したもので、補強部材５，５，…及び他の各部材の取付手段は図１の実施の形態と同様である。
【００１９】
次に、図７に示す実施の形態は図６と同様に縦補強部材４を床材１と天井材２とに当接するか、更に一方を固定し、補強部材５，５，…を斜めではなく床材１に対して平行に取付けたもので、この際には１個の取付片１０に一本の補強部材５を連結するものである。
【００２０】
次に、図８に示す実施の形態は、縦補強部材４が逆Ｌ字形に形成され、床材１と天井材２とに当接するか、更に一方が固定され、補強部材５，５，…を床材１と平行に且つ長さを変えて連結するようにしたものである。
【００２１】
次に、図９に示す実施の形態は、縦補強部材４は図８と同様で、補強部材５，５，…が図１と同様に斜めに取付けられたものである。
【００２２】
次に、図１０に示す実施の形態は、縦補強部材４を傾斜させ、実線で示すように、床材１と天井材２とに当接させない場合と、破線で示すように、当接させる場合とがあり、補強部材５，５，…は図１と同様に斜めに取付けたものである。
【００２３】
次に図１１に示す実施の形態は、取付片１０の形状を円柱にして、取付片１０の取付角度を自由に選択できるようにすることにより、補強部材５の取付角度を自由に選ぶことができるようにする。
【００２４】
【発明の効果】
本発明は前記の手段により取付を行うようになっているもので、両側の縦部材３と補強用縦部材４には内部に取付片１０が位置し、従来のように露出している部分が存在しないので、見栄えが良好である。
【００２５】
又、全てが螺子結合で行われているので、強固な連結が行えると共に組立作業に非常に便利である。
【００２６】
【図面の簡単な説明】
【図１】本発明に係るガラス板等の外装板の取付構造の側面図。
【図２】要部の拡大側面図。
【図３】要部の一部を切欠いた正面図。
【図４】縦部材の断面図。
【図５】他の実施の形態の要部を示す正面図。
【図６】他の実施の形態の要部を示す概略側面図。
【図７】他の実施の形態の要部を示す概略側面図。
【図８】他の実施の形態の要部を示す概略側面図。
【図９】他の実施の形態の要部を示す概略側面図。
【図１０】他の実施の形態の要部を示す概略側面図。
【図１１】取付片の他の実施の形態を示す断面図。
【図１２】従来構造の側面図。
【符号の説明】
１      床材
２      天井材
３      縦部材
４      補強用縦部材
５      補強部材
６      ガラス板
７      型材
８      中空溝
９      切断面
１０      取付片
１１      固定片
１２      固定棒
１３      螺子部
１４      固定ナット
１５      型枠固定片
１６      ボルト孔
１７      ボルト
１８      雌螺子孔
１９      貫通孔
２０      連結棒
２１      雄螺子部
２２      連結用螺子部
２３      雌螺子孔
Ａ      室外側縦材
Ｂ      取付片
Ｃ      室内側縦材
Ｄ      取付片
Ｅ      ラチス材
【図１】
0003685550.tif 000002
【図２】
0003685550.tif 000003
【図３】
0003685550.tif 000004
【図４】
0003685550.tif 000005
【図１２】
0003685550.tif 000006
【図５】
0003685550.tif 000007
【図６】
0003685550.tif 000008
【図７】
0003685550.tif 000009
【図８】
0003685550.tif 000010
【図９】
0003685550.tif 000011
【図１０】
0003685550.tif 000012
【図１１】
0003685550.tif 000013